(57)【要約】      （修正有）【課題】医療器具と皮膚との粘着強度を確保しつつ、医療器具を皮膚からはがす際の痛みを軽減可能な医療器具及び固定具を提供する。【解決手段】本発明の医療器具１ａは、被検者に貼付する貼付面を有するシート状の貼付部材２０と、前記医療装置を前記貼付部材に対して固定する固定具１００ａと、を備え、前記固定具は、前記医療装置に設けられた第１係合部材１１０ａと、前記貼付部材の前記貼付面２２と異なる取付面２１に設けられた前記第１係合部材と係合可能な第２係合部材１２０ａと、前記第１係合部材と前記第２係合部材とが係合した係合状態において前記係合状態を維持するように、前記第１係合部材及び前記第２係合部材のうち少なくともいずれか一方を他方に対して付勢する付勢部材１３０ａと、を有することを特徴とする。【選択図】図１
2018029894.tif 000002
【特許請求の範囲】
【請求項１】
医療装置と、
被検者に貼付する貼付面を有するシート状の貼付部材と、
前記医療装置を前記貼付部材に対して固定する固定具と、を備え、
前記固定具は、
前記医療装置に設けられた第１係合部材と、
前記貼付部材の前記貼付面と異なる取付面に設けられた、前記第１係合部材と係合可能な第２係合部材と、
前記第１係合部材と前記第２係合部材とが係合した係合状態において、前記係合状態を維持するように、前記第１係合部材及び前記第２係合部材のうち少なくともいずれか一方を他方に対して付勢する付勢部材と、を有する、
医療器具。
【請求項２】
前記付勢部材は、前記係合状態において、前記第１係合部材及び前記第２係合部材のうち少なくともいずれか一方を他方に対して２以上の異なる方向から付勢する、
請求項１に記載の医療器具。
【請求項３】
前記２以上の異なる方向は、互いに反対方向である２方向を含む、
請求項２に記載の医療器具。
【請求項４】
前記第１係合部材及び前記第２係合部材は、互いに係合した状態で前記医療装置から前記被検者の体内に挿入される針状部材が通過可能な通過孔を区画する、
請求項１から３のいずれか一項に記載の医療器具。
【請求項５】
前記貼付部材の前記貼付面の面積は、前記医療装置の前記貼付部材に対向する底面の面積よりも小さい、
請求項１から４のいずれか一項に記載の医療器具。
【請求項６】
医療装置に設置可能な第１係合部材と、
被検者に貼付する貼付面を有するシート状の貼付部材の前記貼付面と異なる取付面に設置可能な、前記第１係合部材と係合可能な第２係合部材と、
前記第１係合部材と前記第２係合部材とが係合した係合状態において、前記係合状態を維持するように、前記第１係合部材及び前記第２係合部材のうち少なくともいずれか一方を他方に対して付勢する付勢部材と、を備える、
固定具。
【発明の詳細な説明】
【技術分野】
【０００１】
本発明は、医療器具及び固定具に関する。
【背景技術】
【０００２】
従来、被検者が数日から数週間程度の期間にわたって継続して医療器具を使用する場合に、当該医療器具を被検者の皮膚に貼付して使用することが知られている。例えば、特許文献１には、薬液等の流体を送給する送給デバイスを、被検者の身体に貼付して使用することが開示されている。
【先行技術文献】
【特許文献】
【０００３】
【特許文献１】特許第５１０２３５０号公報
【発明の概要】
【発明が解決しようとする課題】
【０００４】
医療器具を数日から数週間にわたって被検者に貼付する場合、貼付する医療器具が被検者の皮膚からはがれ落ちることを防ぐためには、粘着力が強い貼付剤を使用して被検者に医療器具を貼付するのがよい。一方で、粘着力が強い貼付剤により医療器具を被検者に貼付すると、医療器具の使用を終了する等により医療器具を皮膚からはがす場合に、皮膚に強い刺激を与えやすくなる。すなわち、貼付剤の粘着力が強いほど医療器具が皮膚からはがれにくくなり、医療器具を皮膚からはがす際に、皮膚が発赤したり、皮膚がはがれたりする場合がある。また、医療器具を皮膚からはがす際に、被検者が痛みを感じやすくなる。
【０００５】
本発明の目的は、上記問題に鑑み、医療器具と皮膚との粘着強度を確保しつつ、医療器具を皮膚からはがす際の痛みを軽減可能な医療器具及び固定具を提供することである。
【課題を解決するための手段】
【０００６】
上記目的を達成するために、本発明の医療器具は、医療装置と、被検者に貼付する貼付面を有するシート状の貼付部材と、前記医療装置を前記貼付部材に対して固定する固定具と、を備え、
前記固定具は、前記医療装置に設けられた第１係合部材と、前記貼付部材の前記貼付面と異なる取付面に設けられた前記第１係合部材と係合可能な第２係合部材と、前記第１係合部材と前記第２係合部材とが係合した係合状態において前記係合状態を維持するように、前記第１係合部材及び前記第２係合部材のうち少なくともいずれか一方を他方に対して付勢する付勢部材と、を有することを特徴とする。
【０００７】
ここで、本発明の医療器具は、前記付勢部材が、前記係合状態において、前記第１係合部材及び前記第２係合部材のうち少なくともいずれか一方を他方に対して２以上の異なる方向から付勢することが好ましい。
【０００８】
また、本発明の医療器具は、前記２以上の異なる方向が、互いに反対方向である２方向を含むことが好ましい。
【０００９】
また、本発明の医療器具は、前記第１係合部材及び前記第２係合部材が、互いに係合した状態で前記医療装置から前記被検者の体内に挿入される針状部材が通過可能な通過孔を区画することが好ましい。
【００１０】
また、本発明の医療器具は、前記貼付部材の前記貼付面の面積が、前記医療装置の前記貼付部材に対向する底面の面積よりも小さいことが好ましい。
【００１１】
また、上記目的を達成するために、本発明の固定具は、医療装置に設置可能な第１係合部材と、被検者に貼付する貼付面を有するシート状の貼付部材の前記貼付面と異なる取付面に設置可能な前記第１係合部材と係合可能な第２係合部材と、前記第１係合部材と前記第２係合部材とが係合した係合状態において前記係合状態を維持するように前記第１係合部材及び前記第２係合部材のうち少なくともいずれか一方を他方に対して付勢する付勢部材と、を備えることを特徴とする。
【発明の効果】
【００１２】
本発明によれば、医療器具と皮膚との粘着強度を確保しつつ、医療器具を皮膚からはがす際の痛みを軽減可能な医療器具及び固定具を提供することができる。
【図面の簡単な説明】
【００１３】
【図１】本発明の第１実施形態に係る医療器具の外観斜視図である。
【図２】図１に示す第２係合部材の外観斜視図である。
【図３】図１に示す固定具を係合させる手順を模式的に示す縦断面図である。
【図４】図１に示す医療器具の縦断面図である。
【図５】図１に示す医療器具を皮膚から取り外す手順を模式的に示す概略図である。
【図６】図１に示す固定具の変形例を示す上面図である。
【図７】図６に示す固定具を用いた医療器具の縦断面図である。
【図８】本発明の第２実施形態に係る医療器具の外観斜視図である。
【図９】図８に示す貼付部材の外観斜視図である。
【図１０】図８に示す固定具を係合させる手順を模式的に示す縦断面図である。
【図１１】図８に示す固定具の変形例を示す外観斜視図である。
【図１２】図１１に示す第２係合部材の他の変形例の外観斜視図である。
【図１３】本発明の第３実施形態に係る医療器具の外観斜視図である。
【図１４】図１３に示す固定具の一部を拡大して示す斜視図である。
【図１５】図１３に示す固定具を係合させる手順を模式的に示す縦断面図である。
【発明を実施するための形態】
【００１４】
以下、本発明の各実施形態に係る医療器具について、図面を参照して説明する。各図において共通の部材には、同一の符号を付している。
なお、本明細書において、上下方向とは、医療器具の被検者への使用時における被検者の皮膚表面と垂直な方向を意味し、上方は例えば図４における上方、下方はその反対方向を意味する。また、平行方向とは、医療器具の被検者への使用時における被検者の皮膚表面と平行な面に沿う方向を意味する。そして、左右方向は平行方向のうち例えば図４における左右方向、前後方向は平行方向のうち図４における紙面と垂直な方向を意味し、前方は紙面の奥側、後方は紙面の手前側を意味する。
【００１５】
（第１実施形態）
図１は、本発明の第１実施形態に係る医療器具１ａを斜め下方向から見たときの斜視図である。図１に示すように、医療器具１ａは、医療装置１０ａと、貼付部材２０と、医療装置１０ａを貼付部材２０に対して固定する固定具１００ａとを備える。ここで、図１に示した医療器具１ａは、固定具１００ａによって医療装置１０ａが貼付部材２０に対して固定されていない状態（以下、適宜「非固定状態」と記載する）である。なお、医療器具１ａは、固定具１００ａによって医療装置１０ａが貼付部材２０に対して固定された状態（以下、適宜「固定状態」と記載する）で、貼付部材２０を被検者に貼付したまま例えば数日から数週間程度の期間にわたって継続して使用されるものである。
【００１６】
医療装置１０ａは、医療器具１ａの使用目的及び用途等により、多様な医療装置とすることができる。医療装置１０ａは、例えば被検者の生体情報を継続的に測定する制御部を有する測定装置である。医療装置１０ａが測定装置である場合の一例は、ＣＧＭ（Continuous Glucose Monitoring：連続グルコース測定）により皮下組織中のグルコース値を算出する測定装置である。この場合、被検者は、例えば穿刺具などの針状部材Ｘを使用して体内に挿入したセンサに当該測定装置を接続し、測定装置を皮膚に貼付してＣＧＭを行う。また、医療装置１０ａは、同様の針状部材Ｘを使用して、例えば体内に薬液等の流体を供給する薬液ポンプであってもよい。医療装置１０ａが薬液ポンプである場合の一例は、インスリンポンプである。なお、医療装置１０ａは、上述した装置以外の装置であってもよい。
【００１７】
医療装置１０ａは、貼付部材２０に対向する面である底面１１を有する。図１に示す例では、底面１１は、左右方向を長手方向とする略長方形状である。また、底面１１の周縁に位置する底面周縁部１２は、底面１１の他の領域である底面中央部１９よりも下方に突出している。底面周縁部１２が下方に突出することで、医療器具１ａが固定具１００ａを用いて固定状態とされた場合に、底面周縁部１２が固定具１００ａの周囲を覆うため、固定具１００ａが外部に露出することを防止できる。医療装置１０ａは、底面１１に設けられた開口部１４から外部に連通する中空部１３を内部に区画し、中空部１３内に針状部材Ｘを収納することで、開口部１４から針状部材Ｘの針先側の一部を突出可能としている。
【００１８】
貼付部材２０は、シート状の部材であり、固定具１００ａを介して医療装置１０ａが取り付けられる取付面２１と、被検者の皮膚に貼付する貼付面２２とを有する。図１に示す例では、貼付部材２０は、左右方向を長手方向とする略長方形状である。
【００１９】
貼付部材２０は、例えば、レーヨン不織布、ポリエステル不織布、ポリウレタン不織布、又はプラスチック系（ポリエチレン、ポリエステル若しくはポリウレタン等）の芯材により構成することができる。
【００２０】
貼付部材２０の貼付面２２には、貼付部材２０を被検者の皮膚に貼付可能な程度に粘着力を生じさせる粘着剤が塗布されている。具体的には、貼付面２２における皮膚に対する粘着力は、被検者が医療器具１ａを使用する期間（例えば数日から数週間程度）にわたって、医療器具１ａが被検者の皮膚からはがれない程度に強力であることが好ましく、通常の傷絆創膏等に比べて強力である。貼付面２２における皮膚に対する粘着力は、被検者が医療器具１ａを使用する期間にわたって皮膚に対する一定の粘着性を維持しつつ、医療器具１ａを皮膚からはがす際に、被検者に痛みを与えにくい程度であることが好ましい。
【００２１】
なお、図１に示すように、貼付部材２０の貼付面２２の面積は、医療装置１０ａの底面１１の面積よりも小さい。これにより、医療器具１ａを皮膚からはがす際に被検者に痛みを与える範囲を抑えることができる。また、被検者が医療器具１ａを繰り返し使用する場合、皮膚表面ＳＳ（図４参照）の同じ箇所に連続して使用するのは健康上好ましくないが、貼付面２２の面積を小さくすることで、貼付する皮膚表面ＳＳの箇所を変えることが容易となり、同じ箇所に連続して使用することを抑制することができる。より具体的に、本実施形態では、固定状態の医療器具１ａを上方から見た場合において、医療装置１０ａの外周輪郭が、貼付部材２０の外周輪郭よりも外側に位置する。
【００２２】
貼付部材２０の貼付面２２に塗布される粘着剤としては、例えばシリコーン系粘着剤、アクリル系粘着剤、又はゴム系（天然ゴム若しくは合成ゴム等）粘着剤を使用することができる。但し、粘着剤は、ここに列挙したものに限られない。なお、貼付部材２０の貼付面２２は、医療器具１ａの使用前の状態では、剥離紙等により覆われており、使用時にははがされる。
【００２３】
固定具１００ａは、医療装置１０ａに設けられた第１係合部材１１０ａと、貼付部材２０の取付面２１に設けられた第２係合部材１２０ａと、付勢部材１３０ａとを備える。固定具１００ａは、医療装置１０ａと貼付部材２０とを互いに接続することで、非固定状態の医療器具１ａを固定状態にするための部材である。ここで、本実施形態では、医療器具１ａが固定具１００ａを２つ備える例について説明する。
【００２４】
第１係合部材１１０ａは、医療装置１０ａの底面１１に設けられ、医療装置１０ａの底面１１から下方に向かって延在する腕部１１１と、腕部１１１の下端から平行方向に延在する突出部１１２とを有する。図１に示す例では、第１係合部材１１０ａは底面１１の底面中央部１９に長手方向に沿って２つ設けられ、それぞれの第１係合部材１１０ａの突出部１１２は、それぞれの第１係合部材１１０ａの腕部１１１の下端から平行方向の同じ方向（左方向）に突出するように向きが揃えて配置されている。すなわち、それぞれの第１係合部材１１０ａは、前方又は後方から見た前面視又は後面視で左右方向において線対称とならず、同前面視又は同後面視で左右方向において平行移動させたような関係になっている。第１係合部材１１０ａは、医療装置１０ａと一体的に形成されていてもよいし、融着等によって医療装置１０ａに固定されていてもよい。
【００２５】
第１係合部材１１０ａの材料としては、例えば、ポリエチレン、ポリプロピレン、エチレン−プロピレン共重合体等のポリオレフィン；エチレン−酢酸ビニル共重合体（ＥＶＡ）；ポリ塩化ビニル；ポリ塩化ビニリデン；ポリスチレン；ポリアミド；ポリイミド；ポリアミドイミド；ポリカーボネート；ポリ−（４−メチルペンテン−１）；アイオノマー；アクリル樹脂；ポリメチルメタクリレート；アクリロニトリル−ブタジエン−スチレン共重合体（ＡＢＳ樹脂）；アクリロニトリル−スチレン共重合体（ＡＳ樹脂）；ブタジエン−スチレン共重合体；ポリエチレンテレフタレート（ＰＥＴ）、ポリブチレンテレフタレート（ＰＢＴ）、ポリシクロヘキサンテレフタレート（ＰＣＴ）等のポリエステル；ポリエーテル；ポリエーテルケトン（ＰＥＫ）；ポリエーテルエーテルケトン（ＰＥＥＫ）；ポリエーテルイミド；ポリアセタール（ＰＯＭ）；ポリフェニレンオキシド；変性ポリフェニレンオキシド；ポリサルフォン；ポリエーテルサルフォン；ポリフェニレンサルファイド；ポリアリレート；芳香族ポリエステル（液晶ポリマー）；ポリテトラフルオロエチレン、ポリフッ化ビニリデン、その他フッ素系樹脂；などの各種樹脂材料が挙げられる。また、これらのうちの１種以上を含むブレンド体やポリマーアロイなどでもよい。第１係合部材１１０ａの材料は、これらの他、各種ガラス材、セラミックス材料、金属材料であってもよい。
【００２６】
第２係合部材１２０ａは、貼付部材２０の取付面２１に設けられている。図１に示す例では、第２係合部材１２０ａは貼付部材２０の長手方向に沿って２つ設けられ、２つの第１係合部材１１０ａとそれぞれ対応する間隔で配置されている。また、それぞれの第２係合部材１２０ａは、向きが揃えて配置されている。すなわち、それぞれの第２係合部材１２０ａは、前方又は後方から見た前面視又は後面視で左右方向において線対称とならず、同前面視又は同後面視で左右方向において平行移動させたような関係になっている。第２係合部材１２０ａは、例えば融着等によって貼付部材２０に固定されている。なお、貼付部材２０の取付面２１の面積は、第２係合部材１２０ａを上述した間隔で配置しうる範囲で小さくすることができる。ここで、貼付部材２０はシート状の部材であるので、取付面２１の面積は貼付面２２の面積と略等しい。従って、本実施形態では、貼付部材２０の貼付面２２の面積についても、取付面２１に第２係合部材１２０ａを上述した間隔で配置しうる範囲で、医療装置１０ａの底面１１の面積よりも小さくすることができる。
【００２７】
第２係合部材１２０ａの材料としては、例えば、第１係合部材１１０ａの材料として例示した各種樹脂材料やこれらのうちの１種以上を含むブレンド体やポリマーアロイなどが挙げられる。これらを用いることで、第２係合部材１２０ａを貼付部材２０に融着しやすいため好ましい。
【００２８】
図２は、第２係合部材１２０ａを斜め上方向から見たときの外観斜視図である。第２係合部材１２０ａは、内部に中空部２００を区画し、中空部２００に連通する開口部１２２を上部に区画する。より具体的に、第２係合部材１２０ａは、上部の一部を覆う蓋部１２３と、周囲を覆う側壁１２４と、下部を覆う底部１２１と、を有しており、中空部２００は蓋部１２３、側壁１２４及び底部１２１により区画され、中空部２００に連通する開口部１２２は蓋部１２３により区画されている。第２係合部材１２０ａは、開口部１２２を介して、中空部２００内に第１係合部材１１０ａの突出部１１２を収納することができる。中空部２００内に突出部１１２が収納されると、腕部１１１及び突出部１１２の所定方向への移動が、蓋部１２３や側壁１２４と当接することによって制限されるように第１係合部材１１０ａと第２係合部材１２０ａとが係合した状態となる（以下、この状態を「係合状態」、それ以外の状態を「非係合状態」と適宜記載する）。なお、蓋部１２３の開口部１２２を区画する内面には、第１係合部材１１０ａの下部に設けられた平行方向に対して傾斜する傾斜面１１９と摺動することにより、第１係合部材１１０ａの突出部１１２を開口部１２２を通じて中空部２００内に案内する、平行方向に対して傾斜面１１９と同様に傾斜した傾斜ガイド面１２３１が形成されている。
【００２９】
付勢部材１３０ａは、図２に示すように、例えば板バネ状の弾性部材であり、中空部２００内で第２係合部材１２０ａの底面（底部１２１の中空部２００側の内面）に設けられる。付勢部材１３０ａは、上方から下方に押圧されると圧縮し、押圧物を弾性力によって左斜め上方向に付勢する部材である。
【００３０】
図３は、固定具１００ａを係合させる手順を模式的に示す縦断面図であり、図３（ａ）は非係合状態、図３（ｂ）は係合状態をそれぞれ示す。なお、図３（ａ）中の白抜き矢印は、第１係合部材１１０ａを第２係合部材１２０ａに係合させる際に移動する方向を示し、図３（ｂ）中の点線矢印は、付勢部材１３０ａによって第１係合部材１１０ａが付勢される方向を示す。
【００３１】
図３（ａ）に示すように、第１係合部材１１０ａの傾斜面１１９と第２係合部材１２０ａの傾斜ガイド面１２３１とを摺動させながら、第１係合部材１１０ａを開口部１２２に向けて左斜め下方向に移動させる。その後、図３（ｂ）に示すように、第１係合部材１１０ａの突出部１１２が開口部１２２から中空部２００内に挿入される。このとき、中空部２００の底面に設けられた付勢部材１３０ａは、突出部１１２によって下方に圧縮されるため、突出部１１２を左斜め上方向に付勢する。付勢部材１３０ａによって付勢された突出部１１２は、蓋部１２３に係合し続け、係合状態が維持される。なお、突出部１１２が蓋部１２３のみならず側壁１２４にも当接して係合するように、第１係合部材及び第２係合部材の形状を設計することも可能である。
【００３２】
このように、付勢部材１３０ａは、第１係合部材１１０ａと第２係合部材１２０ａとが係合した係合状態において、係合状態を維持するように、第１係合部材１１０ａ及び第２係合部材１２０ａのうち少なくともいずれか一方を他方に対して付勢する。本例では、付勢部材１３０ａは、第１係合部材１１０ａの突出部１１２が中空部２００内に収納された係合状態で、突出部１１２を蓋部１２３に向けて付勢することで、係合状態を維持する。すなわち、医療器具１ａは固定状態となる。
【００３３】
なお、図３（ｂ）に示したように固定状態である医療器具１ａを非固定状態にするには、所定の操作、例えば、第１係合部材１１０ａを下方に押し込んで付勢部材１３０ａを圧縮させ、その後右斜め上方向に移動させる等の操作を行って、第１係合部材１１０ａを開口部１２２から排出すればよい。
【００３４】
このように、第１係合部材１１０ａの一部を、第２係合部材１２０ａが区画する中空部２００内に挿入することで係合状態を維持することができると共に、所定の操作によって排出して非係合状態とすることもできる。従って、本実施形態に係る医療器具１ａは、固定具１００ａによって、固定状態と非固定状態とを容易に切り替えることができる。
【００３５】
図４は、医療器具１ａを固定状態として被検者が使用している状態における縦断面図である。なお、医療装置１０ａの内部の構造については図示を省略する。図４に示すように、医療器具１ａは、固定状態とされた後、医療装置１０ａの底面に設けられた開口部１４から針状部材Ｘの一部を突出させ、被検者の皮膚表面ＳＳから体内に穿刺させて使用することができる。
【００３６】
なお、医療器具１ａの使用に際しては、貼付部材２０が貼付面２２を介して被検者の皮膚に貼付される。このとき、医療器具１ａは、予め固定状態としてから貼付してもよいし、非係合状態で貼付部材２０を被検者の皮膚に貼付してから固定状態としてもよい。予め固定状態としてから被検者の皮膚に貼付する方が、第１係合部材１１０ａと第２係合部材１２０ａとの間の位置合わせがしやすい点で好ましい。このことは、後述する第２実施形態に係る医療器具１ｂ及び第３実施形態に係る医療器具１ｃについても同様である。
【００３７】
図５は、医療器具１ａを皮膚表面ＳＳから取り外す手順を模式的に示す概略図である。医療器具１ａの使用を終了すると、医療器具１ａは、針状部材Ｘを皮膚に穿刺している場合には抜去された後、図５（ａ）において白抜き矢印で示すように、第１係合部材１１０ａが第２係合部材１２０ａの開口部１２２から排出され、医療装置１０ａが貼付部材２０から取り外されて非固定状態となる。その後、図５（ｂ）に示すように、残った貼付部材２０が皮膚からはがされる。
【００３８】
貼付部材２０が皮膚からはがされる際、貼付部材２０は、外周縁に沿う任意の端部、例えば長手方向の端部２３から、長手方向に沿ってはがされる。このとき、被検者の皮膚表面ＳＳと貼付部材２０の貼付面２２とのなす角θが所定の角度（例えば９０度以上の角度）となるように、端部２３が引っ張られる。このように、角θが所定の角度となるように端部２３が引っ張られることで、貼付部材２０がはがれる際に皮膚に対してかかる力を分散させることができ、表皮のはがれや被検者の痛みを軽減することができる。
【００３９】
なお、貼付部材２０が皮膚からはがされる際、第２係合部材１２０ａは貼付部材２０よりも剛性が通常高いため、第２係合部材１２０ａが設けられた箇所では角θが所望の角度未満となることがありうる。しかしながら、第２係合部材１２０ａは、医療装置１０ａよりも貼付部材２０の取付面２１に占める上面視における面積が小さく、上下方向の高さも低いため、貼付部材を医療装置と共に皮膚表面ＳＳからはがす場合に比べて、角θを大きく確保しやすい。そのため、貼付部材２０がはがれる際に皮膚に対してかかる力をより小さくでき、被検者の痛みを軽減することができる。また、第２係合部材１２０ａは貼付部材２０の長手方向に沿って２つ設けられているので、短手方向に沿って設けられる場合に比べて、第２係合部材１２０ａ間の距離を離すことができる。このようにすれば、貼付部材２０が貼付部材２０の長手方向に沿ってはがされる場合に、複数の第２係合部材１２０ａそれぞれの皮膚からはがされるタイミングがずれやすくなり、同時にはがされる第２係合部材１２０ａが設けられた箇所の面積を小さくすることができるため、皮膚に対してかかる力をより分散させ、被検者の痛みを軽減することができる。
【００４０】
図６は、固定具１００ａの変形例に係る固定具を示す上面図であり、図６（ａ）は変形例に係る第１係合部材１１０ａ’、図６（ｂ）は変形例に係る第２係合部材１２０ａ’及び変形例に係る付勢部材１３０ａ’をそれぞれ示す。図７は、図６に示す変形例に係る固定具を備えた医療器具１ａ’の縦断面図である。なお、医療装置１０ａの内部の構造については図示を省略する。
【００４１】
図６に示すように、第１係合部材１１０ａ’及び第２係合部材１２０ａ’は、それぞれ、上下方向に貫通する通過孔１１３，１２５を区画する。ここで、本例では第２係合部材１２０ａ’内に位置する付勢部材１３０ａ’も、通過孔１２５の上下方向を覆わないような形状に形成されている。図７に示すように、これらの通過孔１１３，１２５は、第１係合部材１１０ａ’及び第２係合部材１２０ａ’が互いに係合した状態で、医療装置１０ａから被検者の皮膚表面ＳＳから体内に挿入される針状部材Ｘを通過させることができるように、上下方向に連通する。このように、図６に示した変形例に係る固定具によって固定された箇所で針状部材Ｘを被検者の皮膚に穿刺させて使用することで、医療器具１ａ’を被検者の皮膚表面ＳＳ上に留置させている間、針状部材の皮膚に対する移動がより抑制されるので、被検者の痛み等を軽減することができる。なお、図７には、医療器具１ａ’が固定具１００ａと変形例に係る固定具とを１つずつ備える例を示したが、固定具１００ａを備えずに変形例に係る固定具を２つ備えてもよい。
【００４２】
（第２実施形態）
図８は、本発明の第２実施形態に係る医療器具１ｂを斜め下方向から見たときの斜視図である。図８に示すように、医療器具１ｂは、医療装置１０ｂと、貼付部材２０と、医療装置１０ｂを貼付部材２０に対して固定する固定具１００ｂとを備える。ここで、図８に示した医療器具１ｂは、非固定状態である。なお、医療器具１ｂは、第１実施形態に係る医療器具１ａと同様に、固定状態で貼付部材２０を被検者に貼付したまま例えば数日から数週間程度の期間にわたって継続して使用されるものである。
【００４３】
医療装置１０ｂは、底面周縁部１２の位置に左右方向に貫通する２つの貫通孔１６を有する。なお、医療装置１０ｂは、貫通孔１６を有する以外は、第１実施形態に係る医療装置１０ａと同様の構成であるので、説明を省略する。また、貼付部材２０は、第１実施形態に係る貼付部材２０と同様の構成であるので、説明を省略する。
【００４４】
固定具１００ｂは、医療装置１０ｂに設けられた複数の第１係合片１１０ｂと、貼付部材２０の取付面２１に設けられた複数の第２係合片１２０ｂと、複数の付勢片１３０ｂと、支持部材１４０とを備える。ここで、複数（本実施形態では２つ）の第１係合片１１０ｂは、全部で１つの第１係合部材を構成する。また、複数（本実施形態では２つ）の第２係合片１２０ｂは、全部で１つの第２係合部材を構成する。さらに、複数（本実施形態では２つ）の付勢片１３０ｂは、全部で１つの付勢部材を構成する。固定具１００ｂは、医療装置１０ｂと貼付部材２０とを互いに接続することで、非固定状態の医療器具１ｂを固定状態にするための部材である。ここで、支持部材１４０は、医療装置１０ｂの底面１１に固定されて、底面１１の下方に突出した部材である。なお、支持部材１４０は、医療装置１０ｂの底面１１に一体的に形成されていてもよいし、融着等によって医療装置１０ｂに固定されていてもよい。
【００４５】
第１係合部材を構成する複数の第１係合片１１０ｂは、それぞれ、医療装置１０ｂの底面１１に沿って左右方向に移動可能に設けられ、係合突起１１４と押圧操作部１１５とを有する。係合突起１１４は、第１係合片１１０ｂの下端部で左方向又は右方向に突出する突起である。押圧操作部１１５は、医療装置１０ｂの側面１５に設けられた貫通孔１６から外部に露出し、被検者等の使用者が指等で医療装置１０ｂ内に押し込んで第１係合片１１０ｂ全体を動かすための部分である。
【００４６】
第１係合片１１０ｂは、本実施形態では、支持部材１４０を挟んで、医療装置１０ｂの底面１１の長手方向である左右方向に沿って互いに向き合うようにして２つ配置される。本例では、右側に配置された第１係合片１１０ｂの係合突起１１４は右方向に突出し、左側に配置された第１係合片１１０ｂの係合突起１１４は左方向に突出する。すなわち、第１係合片１１０ｂの係合突起１１４は、医療装置１０ｂの外側に向けて突出する。第１係合片１１０ｂの材料は、第１実施形態に係る第１係合部材１１０ａの材料と同様とすることができる。
【００４７】
第２係合部材を構成する複数の第２係合片１２０ｂは、貼付部材２０の取付面２１に設けられる。図８に示す例では、第２係合片１２０ｂは貼付部材２０の長手方向である左右方向に沿って互いに向き合うようにして２つ配置される。第２係合片１２０ｂ間の左右方向の距離は、第１係合片１１０ｂ間の左右方向の距離に対応している。第２係合片１２０ｂは、例えば融着等によって貼付部材２０に固定されている。なお、貼付部材２０の取付面２１の面積は、第２係合片１２０ｂを上述した間隔で配置しうる範囲で小さくすることができる。ここで、貼付部材２０はシート状の部材であるので、取付面２１の面積は貼付面２２の面積と略等しい。従って、本実施形態では、貼付部材２０の貼付面２２の面積についても、取付面２１に第２係合片１２０ｂを上述した間隔で配置しうる範囲で、医療装置１０ｂの底面１１の面積よりも小さくすることができる。第２係合片１２０ｂの材料は、第１実施形態に係る第２係合部材１２０ａの材料と同様とすることができる。
【００４８】
図９は、２つの第２係合片１２０ｂが設けられた貼付部材２０を斜め上方向から見たときの外観斜視図である。第２係合片１２０ｂは、左方向又は右方向に開口した係合凹部１２６を区画しており、係合凹部１２６の開口側の端面には、コの字状の開口縁部１２７が形成されている。本例では、右側に配置された第２係合片１２０ｂの係合凹部１２６は左方向に開口し、左側に配置された第２係合片１２０ｂの係合凹部１２６は右方向に開口している。すなわち、第２係合片１２０ｂの係合凹部１２６は、貼付部材２０の内側に向けて開口している。２つの第２係合片１２０ｂは、係合凹部１２６に突出方向が対応する第１係合片１１０ｂの係合突起１１４をそれぞれ収納することができる。そして、それぞれの第２係合片１２０ｂは、第１係合片１１０ｂの係合突起１１４が第２係合片１２０ｂの係合凹部１２６に収納されることにより、第１係合片１１０ｂと係合する（係合状態）。
【００４９】
付勢部材を構成する複数の付勢片１３０ｂは、図８に示すように、例えばコイルバネ状の弾性部材であり、支持部材１４０と２つの第１係合片１１０ｂとの間にそれぞれ設けられる。それぞれの付勢片１３０ｂは、第１係合片１１０ｂを医療装置１０ｂの外側方向に向けて付勢する。付勢片１３０ｂによる付勢によって、第１係合片１１０ｂは、静止状態では押圧操作部１１５を医療装置１０ｂの外部に露出して使用者によって医療装置１０ｂ内に押し込まれることが可能な状態となっている。
【００５０】
図１０は、固定具１００ｂを係合させる手順を模式的に示す縦断面図である。なお、医療装置１０ｂの内部の構造については図示を省略する。図１０（ａ）中の白抜き矢印は、使用者によって第１係合片１１０ｂの押圧操作部１１５が押圧される方向を示す。
【００５１】
図１０（ａ）に示すように、非固定状態の医療器具１ｂは、押圧操作部１１５が押圧されていない状態では、２つの第１係合片１１０ｂの係合突起１１４の先端同士の間の距離が、２つの第２係合片１２０ｂの開口縁部１２７同士の間の距離よりも長い。よって、この状態では、係合状態とすることができない。
【００５２】
ここで、２つの第１係合片１１０ｂの押圧操作部１１５が内側方向に押し込まれると、図１０（ｂ）に示すように、２つの第１係合片１１０ｂの係合突起１１４の先端同士の間の距離が２つの第２係合片１２０ｂの開口縁部１２７同士の間の距離以下となり、係合突起１１４を開口縁部１２７よりも貼付部材２０側に移動させることができる。
【００５３】
図１０（ｂ）に示した状態で押圧操作部１１５の押し込みを終了すると、圧縮された２つの付勢片１３０ｂが復元力により２つの第１係合片１１０ｂを医療装置１０ｂの外側方向に向けてそれぞれ付勢する。すなわち、２つの第１係合片１１０ｂを互いに反対方向である２方向に付勢する。そして、図１０（ｃ）に示すように、２つの第１係合片１１０ｂの係合突起１１４が、それぞれ対応する第２係合片１２０ｂの係合凹部１２６内に収納されて係合状態となるとともに、２つの付勢片１３０ｂによる付勢によって係合状態が維持される。すなわち、医療器具１ｂは固定状態となる。
【００５４】
図１０（ｃ）に示すように、医療器具１ｂは、固定状態とされた後、医療装置１０ｂの底面１１に設けられた開口部１４から針状部材Ｘの一部を突出させ、被検者の皮膚表面ＳＳから体内に穿刺させて使用することができる。開口部１４から突出した針状部材Ｘの一部は、図１０（ｃ）に示すように、支持部材１４０に設けられた貫通孔１４１（図１０（ａ）参照）を貫通させて使用してもよい。
【００５５】
なお、図１０（ｃ）に示したように固定状態である医療器具１ｂを非固定状態にするには、２つの第１係合片１１０ｂの押圧操作部１１５を内側方向に再び押し込み、２つの第１係合片１１０ｂの係合突起１１４の先端同士の間の距離が２つの第２係合片１２０ｂの開口縁部１２７同士の間の距離以下になった状態で、医療装置１０ｂを上方に引き抜けばよい。従って、本実施形態に係る医療器具１ｂは、固定具１００ｂによって、固定状態と非固定状態とを容易に切り替えることができる。
【００５６】
上述したように、付勢片１３０ｂは、第１係合片１１０ｂの係合突起１１４が第２係合片１２０ｂの係合凹部１２６内に収納された係合状態で、係合状態を維持するように、左右の第１係合片１１０ｂを左右の第２係合片１２０ｂに対して、互いに反対方向である２方向に付勢する。すなわち、本実施形態に係る付勢部材は、係合状態において、係合状態を維持するように、第１係合部材を第２係合部材に対して互いに反対方向である２方向に付勢する。これにより、１方向のみに付勢する場合に比べて、固定状態をより安定させることができる。
【００５７】
なお、医療器具１ｂを皮膚から取り外す手順は、第１実施形態に係る医療器具１ａを皮膚から取り外す手順と同様である。すなわち、医療装置１０ｂが貼付部材２０から取り外されて非固定状態となった後、残った貼付部材２０が皮膚からはがされる。この際、複数の第２係合片１２０ｂは、医療装置１０ｂよりも貼付部材２０の取付面２１に占める上面視における面積が小さく、上下方向の高さも低いため、貼付部材を医療装置と共に皮膚からはがす場合に比べて、角θを大きく確保しやすい。そのため、貼付部材２０がはがれる際に皮膚に対してかかる力をより小さくでき、被検者の痛みを軽減することができる。また、第２係合部材は貼付部材２０の長手方向に沿って２つ設けられた第２係合片１２０ｂで構成されているので、短手方向に沿って設けられる場合に比べて、第２係合片１２０ｂ間の距離を離すことができる。このようにすれば、貼付部材２０が貼付部材２０の長手方向に沿ってはがされる場合に、複数の第２係合片１２０ｂそれぞれの皮膚からはがされるタイミングがずれやすくなり、同時にはがされる第２係合片１２０ｂが設けられた箇所の面積を小さくすることができるため、皮膚に対してかかる力をより分散させ、被検者の痛みを軽減することができる。
【００５８】
第１係合片１１０ｂ及び第２係合片１２０ｂは、第１実施形態に係る第１係合部材１１０ａ及び第２係合部材１２０ａと同様に、互いに係合した状態で医療装置１０ｂから被検者の体内に挿入される針状部材が通過可能な通過孔を区画してもよい。このような通過孔に、医療装置１０ｂから被検者の体内に挿入される針状部材を通過させて使用することで、医療器具１ａを被検者の皮膚上に留置させている間、針状部材の皮膚に対する移動がより抑制されるので、被検者の痛み等を軽減することができる。
【００５９】
図１１は、固定具１００ｂの変形例に係る固定具１００ｂ’を示す外観斜視図であり、図１１（ａ）は変形例に係る第１係合部材を構成する２つの第１係合片１１０ｂ’を設けた医療装置１０ｂを斜め下方向から見たときの斜視図、図１１（ｂ）は変形例に係る第２係合部材を構成する２つの第２係合片１２０ｂ’を設けた貼付部材２０を斜め上方向から見たときの斜視図をそれぞれ示す。なお、図１１（ａ）では、説明の便宜上、付勢片１３０ｂ及び支持部材１４０の図示を省略する。
【００６０】
図１１（ａ）に示すように、２つの第１係合片１１０ｂ’は、それぞれ、係合突起１１４’の先端の外縁が、底面視で医療装置１０ｂの外側に凸となるような円弧状に湾曲した形状に形成されている。なお、第１係合片１１０ｂ’のその他の構成は、第１係合片１１０ｂと同様である。また、図１１（ｂ）に示すように、２つの第２係合片１２０ｂ’は、それぞれ、上面視で貼付部材２０の外側に凸となるような円弧状に湾曲した形状に形成されている。なお、第２係合片１２０ｂ’のその他の構成は、第２係合片１２０ｂと同様であり、係合凹部１２６’及び開口縁部１２７’を有している。このような第１係合片１１０ｂ’から構成される第１係合部材と、第２係合片１２０ｂ’から構成される第２係合部材とを備える固定具１００ｂ’によっても、医療装置１０ｂと貼付部材２０とを互いに接続することができる。
【００６１】
図１２は、第２係合片１２０ｂ’の他の変形例に係る第２係合片１２０ｂ’’を設けた貼付部材２０を斜め上方向から見たときの斜視図を示す。図１２に示すように、第２係合片１２０ｂ’’は、第２係合片１２０ｂ’と同様に上面視で貼付部材２０の外側に凸となるような円弧状に湾曲した形状に形成されている。また第２係合片１２０ｂ’’は、上面視で１つの円の円周上に沿うようにして３つ設けられる。なお、第２係合片１２０ｂ’’についても、第２係合片１２０ｂ及び１２０ｂ’と同様、係合凹部１２６’’及び開口縁部１２７’’を有している。このような第２係合片１２０ｂ’’から構成される第２係合部材を用いても、医療装置１０ｂと貼付部材２０とを互いに接続することができる。また、医療装置１０ｂと貼付部材２０とを、互いの位置関係が上面視でどのように回転した状態であっても接続することができるため、取り扱い性が向上する。
【００６２】
（第３実施形態）
図１３は、本発明の第３実施形態に係る医療器具１ｃの斜視図であり、図１３（ａ）は医療装置１０ｃを斜め下方向から見たときの斜視図であり、図１３（ｂ）は貼付部材２０を斜め上方向から見たときの斜視図である。図１３に示すように、医療器具１ｃは、医療装置１０ｃと、貼付部材２０と、医療装置１０ｃを貼付部材２０に対して固定する固定具１００ｃとを備える。ここで、図１３に示した医療器具１ｃは、非固定状態である。なお、医療器具１ｃは、第１実施形態に係る医療器具１ａと同様に、固定状態で貼付部材２０を被検者に貼付したまま例えば数日から数週間程度の期間にわたって継続して使用されるものである。
【００６３】
医療装置１０ｃは、底面１１に前後方向に沿って２つの係合凹部１７が設けられ、底面周縁部１２の位置に前後方向に貫通する２つの貫通孔１８を有する。なお、医療装置１０ｃは、係合凹部１７と貫通孔１８とを有する以外は、第１実施形態に係る医療装置１０ａと同様の構成であるので、説明を省略する。また、貼付部材２０は、第１実施形態に係る貼付部材２０と同様の構成であるので、説明を省略する。
【００６４】
固定具１００ｃは、医療装置１０ｃに設けられた第１係合部材としての複数（本実施形態では２つ）の第１係合片１１０ｃと、貼付部材２０の取付面２１に設けられた第２係合部材１２０ｃと、付勢部材としての複数（本実施形態では２つ）の付勢片１３０ｃとを備える。固定具１００ｃは、医療装置１０ｃと貼付部材２０とを互いに接続することで、非固定状態の医療器具１ｃを固定状態にするための部材である。なお、図１３では、第１係合片１１０ｃ及び第２係合部材１２０ｃの細部の構成は図示を省略している。
【００６５】
第１係合片１１０ｃは、医療装置１０ｃの底面１１に沿って左右方向に移動可能に設けられる。第１係合片１１０ｃは、前後方向に離間して２つ配置される。図１４（ａ）に、前方の第１係合片１１０ｃの拡大図を示す。１４（ａ）に示すように、後方の第１係合片１１０ｃは、左方向に突出した係合突起１１６と、後方に突出したスライド操作部１１７とを有する。なお、図１３（ａ）に示すように、前方の第１係合片１１０ｃは、右方向に突出した係合突起１１６と、前方に突出したスライド操作部１１７とを有する。
【００６６】
各第１係合片１１０ｃが有するスライド操作部１１７は、図１３（ａ）に示すように、医療装置１０ｃの前後の貫通孔１８からそれぞれ外部に露出し、被検者等の使用者が指等で左右方向に沿ってスライドさせて第１係合片１１０ｃを動かすための部分である。第１係合片１１０ｃの材料は、第１実施形態に係る第１係合部材１１０ａの材料と同様とすることができる。
【００６７】
第２係合部材１２０ｃは、図１３（ｂ）に示すように、前後方向を長手方向とする長尺な部材であり、貼付部材２０の取付面２１に設けられる。第２係合部材１２０ｃは、例えば融着等によって貼付部材２０に固定されている。なお、貼付部材２０の取付面２１の面積は、第２係合部材１２０ｃを配置しうる範囲で小さくすることができる。ここで、貼付部材２０はシート状の部材であるので、取付面２１の面積は貼付面２２の面積と略等しい。従って、本実施形態では、貼付部材２０の貼付面２２の面積についても、取付面２１に第２係合部材１２０ｃを配置しうる範囲で、医療装置１０ｃの底面１１の面積よりも小さくすることができる。第２係合部材１２０ｃの材料は、第１実施形態に係る第２係合部材１２０ａの材料と同様とすることができる。
【００６８】
図１４（ｂ）に、第２係合部材１２０ｃの後方の一部の拡大図を示す。第２係合部材１２０ｃは、長手方向の後方端部付近に、右方向に開口した係合凹部１２８と、上方に突出した係合突起１２９とを有する。ここで、係合凹部１２８の上部に位置する壁を上壁部１２８１とする。なお、図１３（ｂ）に示すように、第２係合部材１２０ｃは、長手方向の前方端部付近には、左方向に開口した係合凹部１２８と、上方に突出した係合突起１２９とを有する。
【００６９】
第２係合部材１２０ｃの前方に設けられた係合凹部１２８は、前方の第１係合片１１０ｃの係合突起１１６を収納することができる。第２係合部材１２０ｃの後方に設けられた係合凹部１２８は、後方の第１係合片１１０ｃの係合突起１１６を収納することができる。また、２つの係合突起１２９は、医療装置１０ｃの前後方向に間隔を隔てて形成されている２つの係合凹部１７と対応する間隔、すなわちそれぞれ同時に係合凹部１７に収納することが可能な間隔で配置される。
【００７０】
付勢片１３０ｃは、図１３（ａ）に示すように、例えばコイルバネ状の弾性部材であり、第１係合片１１０ｃと、医療装置１０ｃの底面周縁部１２との間に設けられる。具体的には、付勢片１３０ｃは２つ配置され、後方の第１係合片１１０ｃを左方向に付勢し、前方の第１係合片１１０ｃを右方向に付勢する。
【００７１】
図１５は、固定具１００ｃを係合させる手順を模式的に示す縦断面図である。なお、図１５では後方の第１係合片１１０ｃ等の構成について図示し、医療装置１０ｃの内部の構造については図示を省略する。図１５（ａ）中の白抜き矢印は、医療装置１０ｃが移動する方向を示し、図１５（ｂ）中の白抜き矢印は、使用者によるスライド操作部１１７の操作によって第１係合片１１０ｃが移動する方向をそれぞれ示す。
【００７２】
図１５（ａ）に示すように、非固定状態の医療器具１ｃは、スライド操作部１１７が操作されていない状態では、医療装置１０ｃを貼付部材２０の方向に移動させても、第１係合片１１０ｃの係合突起１１６が第２係合部材１２０ｃの係合凹部１２８の上部に位置する上壁部１２８１の上面に当接し、係合突起１１６を係合凹部１２８に係合させることができない。
【００７３】
ここで、第１係合片１１０ｃがスライド操作部１１７を介して右方向に移動させられると、第１係合片１１０ｃの係合突起１１６の第２係合部材１２０ｃの上壁部１２８１への当接が解除され、図１５（ｂ）に示すように、第２係合部材１２０ｃの係合突起１２９が医療装置１０ｃの係合凹部１７に収納されるまで移動することができる。
【００７４】
その後、スライド操作部１１７の操作を終了すると、付勢片１３０ｃが復元力により第１係合片１１０ｃを左方向に付勢し、係合突起１１６が係合凹部１２８内に収納されて係合状態となるとともに、付勢片１３０ｃによる付勢によって係合状態が維持される。すなわち、医療器具１ｃは固定状態となる。
【００７５】
ここでは、固定具１００ｃの後方についての手順を説明したが、前方についても、後方とは左右方向が逆である以外は後方と同様の手順とすることができる。固定具１００ｃの前方及び後方について上記の操作を同時に行うことで、医療器具１ｃを固定状態とすることができる。
【００７６】
なお、図１５（ｃ）に示したように固定状態である医療器具１ｃを非固定状態にするには、後方のスライド操作部１１７を右方向、前方のスライド操作部１１７を左方向に再びスライドし、医療装置１０ｃを上方に引き抜けばよい。従って、本実施形態に係る医療器具１ｃは、固定具１００ｃによって、固定状態と非固定状態とを容易に切り替えることができる。
【００７７】
医療器具１ｃは、第１実施形態に係る医療器具１ａ及び第２実施形態に係る医療器具１ｂと同様に、固定状態とされた後、医療装置１０ｃの底面１１に設けられた開口部から針状部材の針先側の一部を突出させ、貼付部材２０を貫通して被検者の皮膚表面ＳＳから体内に穿刺させて使用することができる。開口部から突出した針状部材の針先側の一部は、第１係合片１１０ｃ及び第２係合部材１２０ｃを貫通させて使用してもよい。
【００７８】
上述したように、２つの付勢片１３０ｃにより構成される付勢部材は、２つの第１係合片１１０ｃの係合突起１１６が第２係合部材１２０ｃの係合凹部１２８内に収納された係合状態で、係合状態を維持するように、前後の２つの第１係合片１１０ｃにより構成される第１係合部材を第２係合部材１２０ｃに対して、互いに反対方向である２方向に付勢する。これにより、１方向のみに付勢する場合に比べて、固定状態をより安定させることができる。
【００７９】
医療器具１ｃを皮膚から取り外す手順は、第１実施形態に係る医療器具１ａや第２実施形態に係る医療器具１ｂを皮膚から取り外す手順と同様である。すなわち、医療装置１０ｃが貼付部材２０から取り外されて非固定状態となった後、残った貼付部材２０が皮膚からはがされる。この際、第２係合部材１２０ｃは、医療装置１０ｃよりも貼付部材２０の取付面２１に占める上面視における面積が小さく、上下方向の高さも低いため、貼付部材を医療装置と共に皮膚からはがす場合に比べて、角θを大きく確保しやすい。そのため、貼付部材２０がはがれる際に皮膚に対してかかる力をより小さくでき、被検者の痛みを軽減することができる。
【００８０】
ところで、上記各実施形態に係る固定具は、医療器具とは独立していてもよい。すなわち、固定具は、医療装置に設置可能な第１係合部材と、貼付部材の取付面に設置可能な第２係合部材と、付勢部材とを備える構成としてもよい。
【００８１】
本発明に係る医療器具及び固定具は、上述した実施形態の構成に限定されるものではなく、特許請求の範囲で記載された内容を逸脱しない範囲で、様々な構成により実現することが可能である。例えば、各実施形態に係る医療装置の底面１１や貼付部材２０が略長方形状であるとして説明したが、他の任意の形状であってもよい。例えば、３つ又は５つ以上の辺を有する略多角形状であってもよいし、円形状又は楕円形状であってもよい。また、医療装置の底面１１及び貼付部材２０は、それぞれ異なる形状であってよい。
【００８２】
また、第１実施形態に係る医療器具１ａは、固定具１００ａを２つ備えるとして説明したが、固定具１００ａを１つのみ備えてもよいし、３つ以上備えてもよい。医療器具１ａが固定具１００ａを３つ以上備える場合には、２つ備える場合と同様に、それぞれの固定具１００ａを構成する第１係合部材１１０ａ及び第２係合部材１２０ａの向きが揃えて配置される。
【００８３】
また、第１実施形態に係る医療器具１ａは、第１係合部材１１０ａを医療装置１０ａの底面１１に設け、第２係合部材１２０ａを貼付部材２０の取付面２１に設けるとして説明したが、互いの位置関係を維持したまま、第１係合部材１１０ａを貼付部材２０の取付面２１に設け、第２係合部材１２０ａを医療装置１０ａの底面１１に設けてもよい。
【００８４】
また、第１実施形態に係る医療器具１ａは、底面１１の底面周縁部１２が底面中央部１９よりも下方に突出しているとして説明したが、底面周縁部１２と底面中央部１９とが面一であってもよい。但し、第１実施形態に係る医療器具１ａのように、底面１１の底面周縁部１２が底面中央部１９よりも下方に突出し、固定具１００ａの平行方向の周囲が覆われる構成とすることが好ましい。
【００８５】
また、第２実施形態に係る医療器具１ｂは、１つの固定具１００ｂを備えるとして説明したが、複数の固定具１００ｂを備えてもよい。
【００８６】
また、第２実施形態に係る付勢部材は、係合状態において、第１係合部材を第２係合部材に対して互いに反対方向である２方向に付勢するとして説明したが、このような構成には限定されず、第１係合部材及び第２係合部材のうち少なくともいずれか一方を他方に対して２以上の異なる方向から付勢する構成であればよい。但し、第２実施形態に係る付勢部材のように、互いに反対方向である２方向に付勢する構成とすれば、より係合状態を安定化させることができる。
【００８７】
また、第３実施形態に係る第２係合部材１２０ｃは、前後方向を長手方向とする長尺な部材であるとして説明したが、前方に設けられた係合凹部１２８及び係合突起１２９を有する部材と、後方に設けられた係合凹部１２８及び係合突起１２９を有する部材とに分割してもよい。
【００８８】
また、第３実施形態に係る医療器具１ｃは、１つの固定具１００ｃを備えるとして説明したが、複数の固定具１００ｃを備えてもよい。
【符号の説明】
【００８９】
１ａ、１ａ’、１ｂ、１ｃ  医療器具
１０ａ、１０ｂ、１０ｃ  医療装置
１１  底面
１２  底面周縁部
１３  中空部
１４  開口部
１５  側面
１６  貫通孔
１７  係合凹部
１８  貫通孔
１９  底面中央部
２０  貼付部材
２１  取付面
２２  貼付面
２３  端部
１００ａ、１００ｂ、１００ｂ’、１００ｃ  固定具
１１０ａ、１１０ａ’  第１係合部材
１１０ｂ、１１０ｂ’、１１０ｃ  第１係合片
１１１  腕部
１１２  突出部
１１３  通過孔
１１４，１１４’  係合突起
１１５  押圧操作部
１１６  係合突起
１１７  スライド操作部
１１９  傾斜面
１２０ａ、１２０ａ’、１２０ｂ、１２０ｂ’、１２０ｂ’’、１２０ｃ  第２係合部材
１２１  底部
１２２  開口部
１２３  蓋部
１２３１  傾斜ガイド面
１２４  側壁
１２５  通過孔
１２６、１２６’、１２６’’  係合凹部
１２７、１２７’、１２７’’  開口縁部
１２８  係合凹部
１２８１  上壁部
１２９  係合突起
１３０ａ、１３０ａ’  付勢部材
１３０ｂ、１３０ｃ  付勢片
１４０  支持部材
１４１  貫通孔
２００  中空部
Ｘ  針状部材
ＳＳ：皮膚表面
【図１】
2018029894.tif 000003
【図２】
2018029894.tif 000004
【図３】
2018029894.tif 000005
【図４】
2018029894.tif 000006
【図５】
2018029894.tif 000007
【図６】
2018029894.tif 000008
【図７】
2018029894.tif 000009
【図８】
2018029894.tif 000010
【図９】
2018029894.tif 000011
【図１０】
2018029894.tif 000012
【図１１】
2018029894.tif 000013
【図１２】
2018029894.tif 000014
【図１３】
2018029894.tif 000015
【図１４】
2018029894.tif 000016
【図１５】
2018029894.tif 000017